(57)【要約】【課題】通話時の状況を再現することのできる電子機器及び記録方法を提供することを課題とする。【解決手段】実施形態の電子機器は、第１の記録手段と、電話機能制御手段と、第２の記録手段とを具備する。第１の記録手段は、受信した映像コンテンツを記録する。電話機能制御手段は、外部機器との電話機能の制御を行う。第２の記録手段は前記映像コンテンツを出力するときの、前記電話機能にて前記外部機器より受信する映像及び音声の少なくとも一方を、前記映像コンテンツと対応付けて記録する。【選択図】図５
2013115788.tif 000002
【特許請求の範囲】
【請求項１】
受信した映像コンテンツを記録する第１の記録手段と、
外部機器との電話機能の制御を行う電話機能制御手段と、
前記映像コンテンツを出力するときの、前記電話機能にて前記外部機器より受信する映像及び音声の少なくとも一方を、前記映像コンテンツと対応付けて記録する第２の記録手段と、
を具備する電子機器。
【請求項２】
前記第１の記録手段によって記録された前記映像コンテンツと、当該映像コンテンツに対応付けられて記録された映像及び音声の少なくとも一方とを同時に再生する再生手段を更に具備する請求項１記載の電子機器。
【請求項３】
前記再生手段は、前記映像コンテンツと当該映像コンテンツに対応付けられて記録された映像及び音声の少なくとも一方とを同時に再生する第１の再生モードと、前記映像コンテンツを再生し、当該映像コンテンツに対応付けられて記録された映像及び音声の少なくとも一方を再生しない第２の再生モードとを選択的に実行する請求項２記載の電子機器。
【請求項４】
再生可能な映像コンテンツを一覧表示画面であって、前記再生可能な映像コンテンツのうち前記前記電話機能にて前記外部機器より受信する映像及び音声の少なくとも一方と対応付けられて記録された映像コンテンツを示す一覧表示を出力する表示出力手段を、更に具備する請求項２記載の電子機器。
【請求項５】
前記再生手段は、前記映像コンテンツの再生中に、再生モードを変更する請求項２記載の電子機器。
【請求項６】
外部ネットワークと接続する接続部と、
前記外部ネットワークを介して前記外部装置との電話を行う請求項１記載の電子機器。
【請求項７】
前記受信した映像コンテンツを表示する表示部を更に具備する請求項１記載の電子機器。
【請求項８】
受信した映像コンテンツを記録し、
外部機器との電話を行い、
前記映像コンテンツを出力するときの、前記電話機能にて前記外部機器より受信する映像及び音声の少なくとも一方を、前記映像コンテンツと対応付けて記録する記録方法。
【発明の詳細な説明】
【技術分野】
【０００１】
本発明の実施の形態は、電子機器および記録方法に関する。
【背景技術】
【０００２】
近年、Internet Protocolを用いる電話技術（ＩＰ電話技術）が発達しており、電話線に接続されていなくても、ネットワークに接続されている機器であれば友人等と電話を行うことができる。
【０００３】
このＩＰ電話機能はＰＣやＤＴＶ等の様々な電子機器に搭載可能となっており、ＩＰ電話機能をもちいて音声のみでなく映像も共に通信しあい、お互い電子機器の画面で相手の顔を見て会話を楽しむことができる。
【０００４】
動画を視聴可能であって、ＩＰ電話機能を電子機器が有している場合、友人と例えば放送波等で提供される映像コンテンツをお互い異なる電子機器で同時に視聴しながら、この電子機器のＩＰ電話機能を用いて電話を行う場合が考えられる。このとき、同じ映像コンテンツを視聴しながら会話をするため、この動画についての話題で盛り上がったり、感動を共有したりすることができる。
【先行技術文献】
【特許文献】
【０００５】
【特許文献１】特開２００３−１０１６２５号公報
【発明の概要】
【発明が解決しようとする課題】
【０００６】
電話しながら視聴した映像コンテンツを録画した場合、通常、ユーザは録画した映像コンテンツ自体の視聴は可能であるが、会話をしながら放送波の映像コンテンツを視聴したときの状況は再現されず、ユーザはその時の臨場感を感じることはできない。
【０００７】
本発明は上記に鑑みたもので、通話時の状況を再現することのできる電子機器及び記録方法を提供することを課題とする。
【課題を解決するための手段】
【０００８】
実施形態の電子機器は、第１の記録手段と、電話機能制御手段と、第２の記録手段とを具備する。第１の記録手段は、受信した映像コンテンツを記録する。電話機能制御手段は、外部機器との電話機能の制御を行う。第２の記録手段は前記映像コンテンツを出力するときの、前記電話機能にて前記外部機器より受信する映像及び音声の少なくとも一方を、前記映像コンテンツと対応付けて記録する。
【図面の簡単な説明】
【０００９】
【図１】実施形態におけるＤＴＶの内部構造の一例を示すブロック図。
【図２】実施形態における電話機能に関する機能構成の一例を示すブロック図。
【図３】実施形態における画面表示の一例を示す図。
【図４】実施形態における画面表示の一例を示す図。
【図５】実施形態における記録処理の一例を示すフロー図。
【図６】実施形態における録画リスト表示画面の一例を示す図。
【図７】実施形態における再生モード選択についての表示画面の一例を示す図。
【図８】実施形態における放送番組及び電話記録再生モードで再生時の表示画面の一例を示す図。
【発明を実施するための形態】
【００１０】
以下にて、実施形態を図面を参照して説明する。
【００１１】
図１は、本実施形態におけるＤＴＶ１の内部構造の一例を示すブロック図である。なお、本実施の形態では、電子機器をＤＴＶ（Digital Television）に搭載した場合について説明する。しかし、これに限定されず、電子機器は放送受信装置、放送受信機能付き携帯電話、及び放送受信装置が搭載された映像記録再生装置等としても実施することが可能であり、また、ネットワークを通じて放送局から配信される番組を受信することができる放送受信装置、及びＰＣ（Personal Computer）等としても実施することが可能である。また、これらに限定されない。
【００１２】
ＤＴＶ１は、例えばチューナ、オーディオアンプ、及び信号処理部等の電子装置を格納する本体と、ＬＣＤ（Liquid Crystal Display）からなる表示部１２０と、音声を出力するスピーカ１１０とを有するデジタルテレビジョンである。
【００１３】
ＤＴＶ１は、プラグを介して外部から電力を取得し、アンテナを介して地上波デジタル放送波衛星デジタル放送波放送及びを受信して、受信した放送波の信号を信号処理部でデコードすることにより映像信号、及び音声信号を出力する。表示部１２０は、デコードされた映像信号を処理して映像を表示する。スピーカ１１０は、デコードされた音声信号を入力することで音声として出力する。また、ＤＴＶ１はInternet Protocolを用いて他の機器と電話をする機能を有しており、他の機器より映像及び音声の通信を行い、他の機器から受信する映像及び音声を出力することができる。
【００１４】
以下にて、ＤＴＶ１の内部構造に関して詳細に説明を行う。
【００１５】
ＤＴＶ１は、装置各部の動作を制御する制御部１５６を備えている。制御部１５６は、ＤＴＶ１の多くの機能を実行する電子部品が搭載されたメインボードに搭載されたマイコン（Micro Computer）であり、ＣＰＵ（Central Processing Unit）等を有している。制御部１５６は、操作部１１５から入力される操作信号や、リモートコントローラ１１６から送信され受光部１１７を介して受信される操作信号に応じて、ＲＯＭ（Read Only Memory）１５７に予め記憶されたシステム制御プログラム及び各種処理プログラムを起動させる。制御部１５６は、起動したプログラムに従って、ＲＡＭ（Random Access Memory）１５８をワークメモリとして装置各部の動作を制御する。また、制御部１５６は各種機能を実行するための処理部を有している。この制御部１５６の内部構成について図２でさらに詳細に説明を行う。
【００１６】
入力端子１４４は、ＢＳ／ＣＳデジタル放送受信用のアンテナ１４３が受信した衛星デジタルテレビジョン放送信号を衛星デジタル放送用のチューナモジュール１４５に供給する。チューナモジュール１４５は２つのチューナから構成されており、それぞれがチューナとしてチューニング機能を実行することが可能である。チューナモジュール１４５は、受信したデジタル放送信号のチューニングを行い、チューニングしたデジタル放送信号をＰＳＫ（Phase Shift Keying）復調器１４６に送信する。ＰＳＫ復調器１４６は、ＴＳ（Transport Stream）の復調を行い、復調したＴＳをＴＳ復号器１４７ａに供給し、ＴＳ復号器１４７ａは、ＴＳをデジタル映像信信号、デジタル音声信号、およびデータ信号を含むデジタル信号に復号した後、信号処理部１００にこれを出力する。ここでのデジタル映像信号とはＤＴＶ１が出力可能な映像に関するデジタル信号であり、音声信号はＤＴＶ１が出力可能な音声に関するデジタル信号である。またデータ信号とは、例えばＤＴＶ１が電子番組表：ＥＰＧ（Electronic Program Guide）を生成するときに使用する情報である番組関連情報等を含む、放送波の放送番組に関する情報に関するデジタル信号である。チューナモジュール１４５にはチューナが複数存在するため、異なる放送局の放送を同時にチューニングすることが可能であり、ＤＴＶ１は同時に受信した放送波について同時に又は選択的に番組を表示／録画することが可能である。
【００１７】
入力端子１４９は、地上波デジタル放送受信用のアンテナ１４８が受信した地上波デジタルテレビジョン放送信号を地上波デジタル放送用のチューナモジュール１５０に供給する。チューナモジュール１５０は７つのチューナから構成されており、それぞれがチューナとしてチューニング機能を実行することが可能である。チューナモジュール１５０は、受信したデジタル放送信号のチューニングを行い、チューニングしたデジタル放送信号をそれぞれのＯＦＤＭ（Orthogonal Frequency Division Multiplexing）復調器１５１に送信する。ＯＦＤＭ復調器１５１は、ＴＳの復調を行い、復調したＴＳをそれぞれのＴＳ復号器１４７ｂに供給し、ＴＳ復号器１４７ｂは、ＴＳをデジタル映像信号及び音声信号等に復号した後、信号処理部１００にこれを出力する。チューナモジュール１５０にはチューナが複数存在するため、異なる放送局の放送を同時にチューニングすることが可能であり、ＤＴＶ１は同時に受信した放送波について同時に又は選択的に番組を表示／録画することが可能である。また、ＤＴＶ１は、一例として、アンテナ１４８が接続される入力端子１４９にＣＡＴＶ（Common Antenna Television）用のチューナを接続することによってＣＡＴＶも視聴することができる。
【００１８】
信号処理部１００は、ＴＳ復号器１４７ａ、１４７ｂ、または制御部１５６から出力されたデジタル信号に、適切な信号処理を施す。より具体的には、信号処理部１００はデジタル信号を映像信号、デジタル音声信号、およびデータ信号に分離する。分離された映像信号はグラフィック処理部１５２に、音声信号は音声処理部１５３に出力される。データ信号は、制御部１５６に出力され各種処理に利用される。また、信号処理部１００は、ライン入力端子１３７からの入力信号にも所定のデジタル信号処理を施す。
【００１９】
ＯＳＤ（On Screen Display）信号生成部１５４は、制御部１５６の制御に従って、ＵＩ（ユーザ・インタフェース）画面などを表示するためのＯＳＤ信号を生成する。また信号処理部１００においてデジタル放送信号から分離されたデータ信号は、ＯＳＤ信号生成部１５４により適切なフォーマットのＯＳＤ信号に変換され、グラフィック処理部１５２に出力される。
【００２０】
グラフィック処理部１５２は、信号処理部１００から出力されるデジタルの映像信号のデコード処理を行う。デコードされた映像信号は、ＯＳＤ信号生成部１５４から出力されたＯＳＤ信号と重ね合わせて合成され、映像処理部１５５に出力される。グラフィック処理部１５２は、デコードされた映像信号またはＯＳＤ信号を、映像処理部１５５に選択的に出力することもできる。
【００２１】
映像処理部１５５は、グラフィック処理部１５２から出力された信号に対して画質の補正を行った上で、表示処理部１５５で表示可能なフォーマットの映像信号に変換する。映像処理部１５５で変換された映像信号は、表示部１２０に表示される。
【００２２】
表示部１２０はＬＣＤによって構成されており、液晶パネル及びバックライトによってユーザに映像を提供する。
【００２３】
音声処理部１５３は、入力された音声信号を、スピーカ１１０で再生可能なフォーマットの音声信号に変換する。変換された音声信号は、スピーカ１１０に出力されて再生される。
【００２４】
カメラ１１８は、例えば表示部１２０の正面を撮像することのできる撮像手段である。
【００２５】
マイク１１９は、周囲の音声を集音し電気信号に変換することのできる集音手段である。ＤＴＶ１はカメラ１１８で撮像した像およびマイク１１９で集音した音声を用いて、外部機器との間で電話機能（通話機能）を発揮することができる。尚、本実施形態においては、カメラ１１８及びマイク１１９がＤＴＶ１の内部構成であるものとして説明を行うがこれに限定されず、こられは外付けの構成であってもよい。
【００２６】
ＬＡＮ端子１３１は、ＬＡＮＩ／Ｆ１６４を介して制御部１５６に接続されている。ＬＡＮ端子１３１は、イーサネット（登録商標）を用いた一般的なＬＡＮ対応ポートとして使用される。本実施形態においてＬＡＮ端子１３１にはＬＡＮケーブルが接続されており、インターネット４と通信可能となっている。
【００２７】
ＵＳＢ（Universal Serial Bus）端子１３３は、ＵＳＢ Ｉ／Ｆ１６６を介して制御部１５６に接続されている。ＵＳＢ端子１３３は、一般的なＵＳＢ対応ポートとして使用される。ＵＳＢ端子１３３には、例えばハブを介して、携帯電話、デジタルカメラ、各種メモリカードに対するカードリーダ／ライタ、ＨＤＤ、キーボード等が接続される。制御部１５６は、ＵＳＢ端子１３３を介して接続される機器との間で、情報の通信（送受信）を行うことができる。
【００２８】
ＨＤＤ１７０はＤＴＶ１に内蔵される磁気記憶媒体であってＤＴＶ１が有する各種情報を記憶する機能を有している。また、ＨＤＤ１７０は録画された放送された番組を映像コンテンツとして記憶することも可能である。ＤＴＶ１はＨＤＤ１７０に記憶（録画）された映像コンテンツを再生し、表示部１２０に表示することができる。
【００２９】
次に、電話機能等について詳細に説明を行う。
【００３０】
図２は、本実施形態における電話機能に関する機能構成の一例を示すブロック図である。
【００３１】
電話機能制御部２１は、例えば外部機器とＩＰ（Internet Protocol）を用いての電話を実行する機能を有しているアプリケーションであり、電話機能について統合的な制御を実行する。ＤＴＶ１は、ＩＰを用いてインターネット４を介して通話相手からエンコードされた映像及び音声を受信でき、これらをデコードした上で、映像を表示部１２０に表示し、音声をスピーカ１１０より出力する。また、ＤＴＶ１はユーザが発する声をマイク１１９によって集音し、カメラ１１８によってＤＴＶ１正面の映像を撮像し、これらの音声及び映像にエンコードを行った上で、インターネット４を介して電話相手の機器に対して送信する。電話機能制御部２１は、エンコーダ／デコーダ２４や映像作成部２５等に所定に指示を送り、これらの機能を制御する。
【００３２】
また、電話機機能制御部２１は電話機能を利用する場合における映像コンテンツの録画についても所定の指示を行う。この処理については後述にて説明を行う。
【００３３】
録画制御部２２は、録画機能実行することができ、受信した放送波を映像コンテンツとしてＨＤＤ１７０に対して録画することができる。ここでは録画先の記憶媒体を内蔵ＨＤＤであるＦＤＤ１７０として説明を行うが、録画先の記憶媒体は外付けのＨＤＤ等の記憶媒体であってもよい。
【００３４】
記録制御部２３は、ＨＤＤ１７０へのデータの読み出し／書き込みを実行する機能を有している。記録制御部２３は電話機能制御部２１、録画制御部２２からの指示に基づいて映像又は音声等をＨＤＤ１７０へのデータの読み出し／書き込みを実行する。
【００３５】
エンコーダ／デコーダ２４は、所定のコーデックで符号化された映像及び音声信号のデコードし、符号化されていない映像及び音声信号をエンコードする機能を有している。
【００３６】
映像生成部２５は、電話機能制御部２１からの指示に基づいてエンコーダ／デコーダ２４でデコードされた映像を用いて表示映像を作成する機能を有している。
【００３７】
次に、電話機能を利用しているときの表示部１２０の表示例について説明を行う。
【００３８】
図３は本実施形態における画面表示の一例を示す図である。
【００３９】
表示部１２０には、放送番組表示領域３１及び電話先表示領域３２を有する放送表示画面３３が表示されている。
【００４０】
放送表示画面３３では、放送波で現在放送されている放送番組（映像コンテンツ）が放送番組表示領域３１に表示され、ＩＰ電話機能によって相手先から受信する映像が電話先表示領域３２に表示されている。つまり、放送表示画面３３では、放送波によって放送されている番組（映像コンテンツ）と、ＩＰ電話機能によって相手先から受信する映像とを同時に表示する。
【００４１】
電話機能を利用しながら番組を視聴する場合には、表示部１２０に放送表示画面３３が表示され、ユーザは通話相手の顔を見ながら通話及び放送番組（映像コンテンツ）の視聴を行うことができる。このとき、相手ユーザと同じ放送番組（映像コンテンツ）を視聴していれば、映像コンテンツについて会話でき、感想を共有することができる。
【００４２】
図３の電話先表示領域３２は、領域の一部が放送番組表示領域３１に重畳している。これによって、ある程度の大きさを持ったまま放送番組表示領域３１及び電話先表示領域３２を同時に表示することができる。
【００４３】
図４は本実施形態における画面表示の一例を示す図である。
【００４４】
図４では表示部１２０には、放送番組表示領域４１及び電話先表示領域４２を有する放送表示画面４３が表示されている。
【００４５】
この放送表示画面４３では放送番組表示領域４１と電話先表示領域４２とが重畳していない。つまり、放送表示画面４３では、放送番組表示領域４１と電話先表示領域４２のそれぞれの表示領域に表示されている映像が欠けることがない。
【００４６】
ＤＴＶ１は、上記のように放送波番組（映像コンテンツ）の表示と、電話機能とを同時に実行することが可能ある。また、ユーザが電話をしているときに、放送番組の表示と同時にこの放送番組（映像コンテンツ）の録画を実行することができる。そして、ＤＴＶ１は更に、放送番組（映像コンテンツ）の録画と同時に電話機能による映像・音声（相手機器から受信する映像・音声及びＤＴＶ１が相手機器に送信する映像・音声）を記録することができる。この放送番組（映像コンテンツ）録画と同時に行う電話の映像・音声の記録（以下では電話記録とも呼ぶ）時には、この電話記録と通話時に録画する番組（映像コンテンツ）とを対応付けて管理する。この処理によって、ユーザは録画した番組（映像コンテンツ）を再生する際に、対応付けて記録された（映像コンテンツの録画中に記録された）電話記録を録画番組（映像コンテンツ）と同時に再生することができる。これによりＤＴＶ１は録画番組を再生したときに、録画と同時の通話の状況を再現することができる。
【００４７】
次に、この録画および記録処理について説明を行う。
【００４８】
図５は本実施形態における記録処理の一例を示すフロー図である。
【００４９】
まず、電話機能制御部２１が着信又は発信があったか否かを判別する（ステップＳ５０１）。どちらもない場合には（ステップＳ５０１：Ｎｏ）、処理はステップＳ５０１に戻る。
【００５０】
着信又は発信があったとき（ステップＳ５０１：Ｙｅｓ）、電話機能制御部２１は電話相手より受信する映像・音声をエンコーダ／デコーダ２４にデコードさせる（ステップＳ５０２）。
【００５１】
次に電話機能制御部２１は、設定又はユーザ指示に基づいて放送番組録画及び電話記録の記録を行うか否かを判別する（ステップＳ５０３）。ここでの設定とは、ユーザが予め行っていた設定のことを指し、放送番組録画と電話記録を対応付けて記録するか否かの設定である。また、ここでのユーザ指示とは例えばリモートコントローラ１１６を用いた、放送番組録画及び電話記録を行うか否かのユーザからの指示である。
【００５２】
放送番組録画及び電話記録を行う場合（ステップＳ５０３）、電話機能制御部２１は録画制御部２２に現在表示されている放送番組が録画中であるか否かを問い合わせる（ステップＳ５０４）。録画中でない場合には（ステップＳ５０４：Ｎｏ）、電話機能制御部２１は録画制御部２２に対して表示中の放送番組の録画を開始するように指示を行い、録画制御部２２は録画を開始する（ステップＳ５０５）。
【００５３】
ステップＳ５０４において録画中である場合（ステップＳ５０４：Ｙｅｓ）、またステップＳ５０５の処理を実行後、電話機能制御部２１は電話記録（通話による映像・音声）の記録を開始する（ステップＳ５０６）。ここでは、電話相手の機器から送信され、エンコーダ／デコーダ２４でデコードした映像及び音声を表示部１２０及びスピーカ１１０から出力すると同時に、これらのデータをＨＤＤ１７０に記録する。なお、この時点での表示部１２０への映像の表示形態の例としては図３及び図４で示したものが挙げられる。
【００５４】
次に、電話機能制御部２１は通話が終了したか否かを判別する（ステップＳ５０７）。電話が終了していない間（ステップＳ５０７：Ｎｏ）は、ステップＳ５０７の処理をループする。電話が終了したとき（ステップＳ５０７：Ｙｅｓ）、電話機能制御部２１は電話記録を終了する（ステップＳ５０８）。
【００５５】
電話記録の終了後、この電話機能制御部２１は電話記録と録画番組との対応付けを行う（ステップＳ５０９）。このとき、電話機能制御部２１は電話記録と録画番組の対応付けを行うと共に、電話記録と通話時刻とを対応付ける。これにより、通話による映像及び音声がそれぞれどの時刻に出力されたものであるかが決められる。なお、この時刻についてはＤＴＶ１のＳＴＣ（System Time Clock）を用いるとしても良いし、電話の相手先から送られてきたデータに含まれる時刻情報を用いるとしてもよい。さらに、録画している放送番組（映像コンテンツ）のＰＴＳ（Presentation Time Stamp）を利用するとしてもよい。また、ここでは通話による映像および音声と時刻との対応付けを記録終了後に行うものとして例示したが、電話記録中に行っているとしてもよい。
【００５６】
次に、録画制御部２２は録画を終了する否かを判別する（ステップＳ５１０）。録画を終了しない間（ステップＳ５１０：Ｎｏ）、処理フローはステップＳ５０１に戻る。
【００５７】
録画が終了するとき（ステップＳ５１０：Ｙｅｓ）、録画制御部２２は録画の停止処理を実行し（ステップＳ５１１）、一連の処理フローは終了となる。
【００５８】
以上の処理により、録画番組（映像コンテンツ）とこの番組を見ていたときの電話の内容（電話記録）とを対応付けて記録することができる。
【００５９】
次に、この対応付けて記録した録画番組（映像コンテンツ）と電話記録の再生処理について説明を行う。
【００６０】
図６は、本実施形態における録画リスト表示画面の一例を示す図である。
【００６１】
図６では、表示部１２０に対象番組表示領域６１、録画番組リスト６２、及び電話記録表示６３を表示する録画リスト表示６４が表示されている。
【００６２】
録画番組リスト６２にはＨＤＤ１７０又は他の記憶媒体に録画された録画番組（映像コンテンツ）のタイトルが上下方向に並んで表示されている。ユーザはリモートコントローラ１１６の上下キーによって録画番組リスト６２の一つを選択でき、現在選択されている録画番組は太枠で囲われている。対象番組表示領域６１には、現在選択されている番組についての動画又は静止画が表示されている。録画番組リスト６２で示される録画番組の内、電話記録が対応付けて記録されている番組の番組リスト６２中には電話記録表示６３が表示されている。これによりユーザは電話記録が対応付けられて記録されている録画番組をリストの中から一見して探すことができる。
【００６３】
次に、電話記録が対応付けられて記録された録画番組リスト６２を選択し、再生（視聴）決定を行った場合について説明する。
【００６４】
図７は、本実施形態における再生モード選択についての表示画面の一例を示す図である。
【００６５】
図７では、表示部１２０に対象番組表示領域７１及び再生モード選択領域７２を表示する再生モード選択表示７３が表示されている。
【００６６】
対象番組表示領域７１には再生決定された録画番組についての動画又は静止画が表示されている。
【００６７】
再生モード選択領域７２は、録画番組及び電話記録の再生方式（再生モード）を選択するための領域であり、ユーザはリモートコントローラ１１６の左右キーによって再生モードを選択することができる。再生モードとしては「録画番組のみ」、「録画番組及び電話記録」、「電話記録のみ」の３つのモードが存在する。「録画番組のみ」の再生モードでは、電話記録について映像及び音声を出力せず、録画された番組のみを再生する。「録画番組及び電話記録」の再生モードでは、録画された番組及び電話記録についての映像及び音声を出力する（再生する）。「電話記録のみ」では、電話記録についての映像及び音声のみを出力し、録画番組の再生は行わない。
【００６８】
次に、「録画番組及び電話記録」再生モードで再生を行った場合の表示例について説明する。
【００６９】
図８は、本実施形態における放送番組及び電話記録再生モードで再生時の表示画面の一例を示す図である。
【００７０】
図８では、表示部１２０に再生番組表示領域８１と電話先表示領域８２を含む再生表示画面８４、及び再生モード選択領域８３が表示されている。
【００７１】
再生番組表示領域８１には、図６の録画リスト表示６４によって選択された録画番組（映像コンテンツ）を再生したときの再生画面が表示されている。
【００７２】
電話先表示領域８２には、再生番組表示領域８１に表示されている録画番組（映像コンテンツ）を録画したときに、電話機能によって通話していた相手先から受信した映像（電話記録の一部）が表示されている。
【００７３】
電話記録と対応付けられた録画番組を再生する際に、「録画番組及び電話記録」再生モードで再生するようにユーザが選択すると、電話機能制御部２１は、ＨＤＤ１７０に格納されている録画番組及び電話記録を読み出し、エンコーダ／デコーダ２４にてデコードさせた後、再生番組表示領域８１と電話先表示領域８２を含む再生表示画面８４を映像作成部２５に表示させ、それぞれの音声をスピーカ１１０にて出力させる。つまり、電話機能制御部３３は番組録画時の放送表示画面３３を再現することができる。なお、このときスピーカ１１０からは録画番組の音声及び電話記録の音声が出力されている。これにより、ユーザは電話をしていたときと同じ感覚で録画番組（映像コンテンツ）を視聴することができる。
【００７４】
「録画番組のみ」再生モードで再生を行った場合には、電話先表示領域８２が表示されず、再生番組表示領域８１が表示される。また、「電話記録のみ」再生モードで再生を行った場合には再生番組表示領域８１が表示されず、電話先表示領域８２のみが表示される。これらの場合のそれぞれの領域のサイズは任意で決定してよい。
【００７５】
また、「録画番組及び電話記録」再生モードでの再生番組表示領域８１と電話先表示領域８２の表示形態については、図３の放送表示画面３３に類似して２つの領域が重畳した再生表示画面８４の他にも、図４の放送表示画面４３に類似した、２つの領域が重畳していない表示形態が考えられる。
【００７６】
尚、再生の途中であっても再生モードの選択が可能であり、再生途中に再生モードを選択する際には再生モード選択領域８３が表示される。ユーザはこの再生モード選択領域８３の中から再生モードを選択することができ、この選択に基づいて再生モードは変更される。
【００７７】
さらに、上記の再生モードの他にも、映像のみ、音声のみについて再生するモードが存在するとしても良い。この例として、録画番組の映像音声を出力し、電話記録については音声のみ出力する再生モードが考えられる。この場合には、ユーザは全画面で録画番組を視聴しつつ、電話音声を聴くことができる。また、録画番組の映像のみを出力し、電話記録の映像音声を出力するような再生モードも考えられる。この場合には、電話の内容をよりクリアに聞き取ることができる。また、映像のみ、音声のみの組み合わせによって他の再生モードも考えられる。
【００７８】
本実施形態におけるＤＴＶ１は通話時の状況を再現して映像コンテンツを再生することができる。
【００７９】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。さらに異なる実施形態にわたる構成要素を適宜組み合わせてもよい。
【符号の説明】
【００８０】
１…ＤＴＶ、４…インターネット、１００…信号処理部、１１０…スピーカ、１１５…操作部、１１６…リモートコントローラ、１１７…受光部、１１８…カメラ、１１９…マイク、１２０…表示部、１３１…ＬＡＮ端子、１３３…ＵＳＢ端子、１３７…ライン入力端子、１４３…アンテナ、１４４…入力端子、１４５…チューナ、１４６…ＰＳＫ復調器、１４７…ＴＳ復号器、１４８…アンテナ、１４９…入力端子、１５０…チューナ、１５１…ＯＦＤＭ復調器、１５２…グラフィック処理部、１５３…音声処理部、１５４…信号生成部、１５５…映像処理部、１５６…制御部、１５７…ＲＯＭ、１５８…ＲＡＭ、１６４…ＬＡＮＩ／Ｆ、１６６…ＵＳＢＩ／Ｆ、１７０…ＨＤＤ、２１…電話機能制御部、２２…録画制御部、２３…記録制御部、２４…エンコーダ／デコーダ、２５…映像作成部、３１…放送番組表示領域、３２…電話先表示領域、３３…放送表示画面、４１…放送番組表示領域、４２…電話先表示領域、４３…放送表示画面、６１…対象番組表示領域、６２…録画番組リスト、６３…電話記録表示、６４…録画リスト表示、７１…電話機能制御部、７２…再生モード選択領域、７３…再生モード選択表示、８１…再生番組表示領域、８２…電話先表示領域、８３…再生表示画面、８４…再生モード選択領域。
【図１】
2013115788.tif 000003
【図２】
2013115788.tif 000004
【図３】
2013115788.tif 000005
【図４】
2013115788.tif 000006
【図５】
2013115788.tif 000007
【図６】
2013115788.tif 000008
【図７】
2013115788.tif 000009
【図８】
2013115788.tif 000010